【手続補正書】
【提出日】平成23年11月28日(2011.11.28)
【手続補正１】
【補正対象書類名】明細書
【補正対象項目名】発明の名称
【補正方法】変更
【補正の内容】
【発明の名称】移動通信システム及びその方法並びにそれに用いる基地局及び無線端末
【手続補正２】
【補正対象書類名】明細書
【補正対象項目名】０００１
【補正方法】変更
【補正の内容】
【０００１】
本発明は移動通信システム及びその方法並びにそれに用いる基地局及び無線端末に関し、特に無線端末の移動に伴うハンドオーバ時におけるコアネットワークノードの選択方式に関するものである。
【手続補正３】
【補正対象書類名】明細書
【補正対象項目名】００２１
【補正方法】変更
【補正の内容】
【００２１】
本発明による他のプログラムは、
複数の基地局と、複数のコアネットワークノードとが、複数のエリアに分散配置された移動通信システムにおける移動先基地局の動作をコンピュータに実行させるためのプログラムであって、
移動元基地局から前記移動先基地局へハンドオーバを行う無線端末と無線通信をなす処理と、
前記ハンドオーバの際、前記移動元基地局が接続しているコアネットワークノードの識別子である第一の識別子と、前記移動元基地局が属するエリアの識別子である第二の識別子とを、前記移動元基地局から受信する処理と、をコンピュータに実行させるためのプログラムである。
本発明による無線端末は、
複数のコアネットワークノードと、移動元基地局と、移動先基地局と、を含む移動通信システムにおける無線端末であって、
前記移動元基地局と通信する手段と、
前記移動元基地局から前記移動先基地局へハンドオーバを行う手段と、
前記移動元基地局からのハンドオーバ要求に含まれる第一の識別子及び第二の識別子を受信した前記移動先基地局との、通信コネクションを確立する手段と、を含み、
前記第一の識別子は、前記移動元基地局が接続されているコアネットワークノードを特定するものであり、前記第二の識別子は、前記移動元基地局が属するエリアの識別子であることを特徴とする。
【手続補正４】
【補正対象書類名】特許請求の範囲
【補正対象項目名】全文
【補正方法】変更
【補正の内容】
【特許請求の範囲】
【請求項１】
複数の基地局と、複数のコアネットワークノードとが、複数のエリアに分割配置された移動通信システムにおける移動元基地局であって、
前記移動元基地局から移動先基地局へのハンドオーバを行う無線端末と無線通信をなす手段と、
前記ハンドオーバの際、前記移動元基地局が接続しているコアネットワークノードの識別子である第一の識別子と、前記移動元基地局が属するエリアの識別子である第二の識別子とを、前記移動先基地局へ送信する手段とを含むことを特徴とする移動元基地局。
【請求項２】
前記第一の識別子及び前記第二の識別子は、ハンドオーバ要求に含まれ、
前記送信する手段は、前記ハンドオーバ要求を前記移動先基地局に送信することを特徴とする請求項１に記載の移動元基地局。
【請求項３】
前記送信する手段は、前記ハンドオーバの際、前記移動先基地局へ、前記無線端末の通信種別情報を送信することを特徴とする請求項１または２に記載の移動元基地局。
【請求項４】
前記通信種別情報は、通信種別における情報の要素の値を示すラベルであることを特徴とする請求項３に記載の移動元基地局。
【請求項５】
前記通信種別情報は、保証伝送速度、最大伝送速度、遅延、誤り率及びトラフィッククラスの少なくとも一つを含むことを特徴とする請求項３記載の移動元基地局。
【請求項６】
前記移動元基地局及び前記移動先基地局は、ｅ  Ｎｏｄｅ  Ｂであることを特徴とする請求項１乃至５のいずれかに記載の移動元基地局。
【請求項７】
複数の基地局と、複数のコアネットワークノードとが複数のエリアに分割配置された移動通信システムにおける移動先基地局であって、
移動元基地局から前記移動先基地局へハンドオーバを行う無線端末と無線通信をなす手段と、
前記ハンドオーバの際、前記移動元基地局が接続しているコアネットワークノードの識別子である第一の識別子と、前記移動元基地局が属するエリアの識別子である第二の識別子とを、前記移動先基地局から受信する手段とを含むことを特徴とする移動先基地局。
【請求項８】
前記第一の識別子及び前記第二の識別子は、ハンドオーバ要求に含まれ、
前記受信する手段は、前記ハンドオーバ要求を前記移動元基地局から受信することを特徴とする請求項７に記載の移動先基地局。
【請求項９】
前記第一の識別子と前記第二の識別子とに基づいて、前記移動先基地局が接続するコアネットワークノードを選択する手段を更に有することを特徴とする請求項７または８に記載の移動先基地局。
【請求項１０】
前記受信する手段は、前記ハンドオーバの際、前記移動元基地局から、前記無線端末の通信種別情報を受信することを特徴とする請求項７または８に記載の移動先基地局。
【請求項１１】
前記第一の識別子と、前記第二の識別子と、前記通信種別情報とに基づいて、前記移動先基地局が接続するコアネットワークノードを選択する手段を更に有することを特徴とする請求項１０に記載の移動先基地局。
【請求項１２】
前記通信種別情報は、通信種別における情報の要素の値を示すラベルであることを特徴とする請求項１０または１１に記載の移動先基地局。
【請求項１３】
前記通信種別情報は、保証伝送速度、最大伝送速度、遅延、誤り率及びトラフィッククラスの少なくとも一つを含むことを特徴とする請求項１０または１１に記載の移動先基地局。
【請求項１４】
前記移動元基地局及び前記移動先基地局は、ｅ  Ｎｏｄｅ  Ｂであることを特徴とする請求項７乃至１３のいずれかに記載の移動先基地局。
【請求項１５】
複数の基地局と、複数のコアネットワークノードとが複数のエリアに分割配置された移動通信システムであって、
無線端末と、移動元基地局と、移動先基地局と、を有し、
前記無線端末は、前記移動元基地局から前記移動先基地局へのハンドオーバを行い、
前記移動元基地局は、前記ハンドオーバの際、前記移動元基地局が接続しているコアネットワークノードの識別子である第一の識別子と、前記移動元基地局が属するエリアの識別子である第二の識別子とを、前記移動先基地局へ送信する
前記移動先基地局は、前記第一の識別子及び前記第二の識別子を、前記移動元基地局から受信することを特徴とする移動通信システム。
【請求項１６】
前記第一の識別子及び前記第二の識別子は、ハンドオーバ要求に含まれ、
前記移動元基地局は、前記ハンドオーバ要求を前記移動先基地局へ送信することを特徴とする請求項１３に記載の移動通信システム。
【請求項１７】
前記移動先基地局は、前記第一の識別子及び前記第二の識別子に基づいて、前記移動先基地局が接続するコアネットワークノードを選択することを特徴とする請求項１５または１６に記載の移動通信システム。
【請求項１８】
前記移動元基地局は、前記ハンドオーバの際、前記移動先基地局へ、前記無線端末の通信種別情報を送信することを特徴とする請求項１５または１６に記載の移動通信システム。
【請求項１９】
前記移動先基地局は、前記第一の識別子と、前記第二の識別子と、前記通信種別情報とに基づいて、前記移動先基地局が接続するコアネットワークノードを選択することを特徴とする請求項１８に記載の移動通信システム。
【請求項２０】
前記移動元基地局及び前記移動先基地局は、ｅ  Ｎｏｄｅ  Ｂであることを特徴とする請求項１５乃至１９のいずれかに記載の移動通信システム。
【請求項２１】
複数の基地局と、複数のコアネットワークノードとが複数のエリアに分割配置された移動通信システムの方法であって、
移動元基地局において、前記移動元基地局から移動先基地局へのハンドオーバを行う無線端末と無線通信をなすステップと、
前記移動元基地局において、前記ハンドオーバの際、前記移動元基地局が接続しているコアネットワークノードの識別子である第一の識別子と、前記移動元基地局が属するエリアの識別子である第二の識別子とを、前記移動先基地局へ送信するステップとを含むことを特徴とする方法。
【請求項２２】
前記第一の識別子及び前記第二の識別子は、ハンドオーバ要求に含まれ、
前記移動元基地局は、前記ハンドオーバ要求を前記移動先基地局へ送信することを特徴とする請求項２１記載の方法。
【請求項２３】
前記移動先基地局は、前記第一の識別子及び前記第二の識別子に基づいて、前記移動先基地局が接続するコアネットワークノードを選択することを特徴とする請求項２１または２２に記載の方法。
【請求項２４】
前記移動元基地局は、前記ハンドオーバの際、前記移動先基地局へ、前記無線端末の通信種別情報を送信することを特徴とする請求項２１または２２に記載の方法法。
【請求項２５】
前記移動先基地局は、前記第一の識別子と、前記第二の識別子と、前記通信種別情報とに基づいて、前記移動先基地局が接続するコアネットワークノードを選択することを特徴とする請求項２４に記載の方法。
【請求項２６】
前記移動元基地局及び前記移動先基地局は、ｅ  Ｎｏｄｅ  Ｂであることを特徴とする請求項２１乃至２５のいずれかに記載の方法。
【請求項２７】
複数の基地局と、複数のコアネットワークノードとが、複数のエリアに分割配置された移動通信システムにおける移動元基地局の動作をコンピュータに実行させるためのプログラムであって、
前記移動元基地局から移動先基地局へのハンドオーバを行う無線端末と無線通信をなす処理と、
前記ハンドオーバの際、前記移動元基地局が接続しているコアネットワークノードの識別子である第一の識別子と、前記移動元基地局が属するエリアの識別子である第二の識別子とを、前記移動先基地局へ送信する処理と、をコンピュータに実行させる、コンピュータ読取り可能なプログラム。
【請求項２８】
複数の基地局と、複数のコアネットワークノードとが、複数のエリアに分割配置された移動通信システムにおける移動先基地局の動作をコンピュータに実行させるためのプログラムであって、
移動元基地局から前記移動先基地局へハンドオーバを行う無線端末と無線通信をなす処理と、
前記ハンドオーバの際、前記移動元基地局が接続しているコアネットワークノードの識別子である第一の識別子と、前記移動元基地局が属するエリアの識別子である第二の識別子とを、前記移動元基地局から受信する処理と、をコンピュータに実行させる、コンピュータ読取り可能なプログラム。
【請求項２９】
複数のコアネットワークノードと、移動元基地局と、移動先基地局と、を含む移動通信システムにおける無線端末であって、
前記移動元基地局と通信する手段と、
前記移動元基地局から前記移動先基地局へハンドオーバを行う手段と、
前記移動元基地局からのハンドオーバ要求に含まれる第一の識別子及び第二の識別子を受信した前記移動先基地局との、通信コネクションを確立する手段と、を含み、
前記第一の識別子は、前記移動元基地局が接続されているコアネットワークノードを特定するものであり、前記第二の識別子は、前記移動元基地局が属するエリアの識別子であることを特徴とする無線端末。
【請求項３０】
前記移動元基地局は、前記ハンドオーバのとき、前記移動先基地局へ、前記無線端末の通信種別を送信することを特徴とする請求項２９に記載の無線端末。
【請求項３１】
前記通信種別は、通信種別における情報の要素を示すラベルであることを特徴とする請求項３０に記載の無線端末。
【請求項３２】
前記通信種別は、保証伝送速度、最大伝送速度、遅延、誤り率及びトラフィックラスの少なくとも一つであることを特徴とする請求項３０に記載の無線端末。